(57)【特許請求の範囲】
【請求項１】
印刷作業ごとの印刷作業番号と印刷物１つに対して定める柄構成を特定する柄構成番号と作業予定日時を記録した印刷作業予定データと、印刷物１つに対して必要な各版の版胴柄を特定する版胴柄番号と、前記柄構成番号に対応する円周、版幅、版胴柄番号を記録した柄構成データと、版胴ごとの版胴番号、版胴柄番号、円周、版幅、最終使用日、使用数、使用区分の「可」又は「不可」、転用区分の「可」又は「不可」を記録した版胴データを用いて、版胴を落版転用するにあたり共有すべき版胴を抽出する装置であって、
前記印刷作業予定データを参照して印刷作業番号に対応する柄構成番号を特定し、当該柄構成番号により前記柄構成データを参照して版胴柄番号を特定し、当該版胴柄番号が前記版胴データに存在するか否かにより、印刷作業に必要な版胴が全て揃っているか否かを示す版胴の揃い状況を算出する版胴揃い状況算出手段と、
版胴揃い状況の算出の結果不揃いであった版胴の代わりとして、版胴データより版胴の使用区分、転用区分が共に「可」である版胴の内、版胴の円周、版幅が必要な版胴と一致するものを抽出する版胴抽出手段と、
を有することを特徴とする版胴落版転用処理装置。
【請求項２】
抽出された版胴をどの印刷作業に転用するかを示す刷版作業予定データを作成すると共に、前記抽出された版胴が他の印刷作業に転用されないように前記版胴データの転用区分を“不可”に更新するデータ更新手段をさらに有することを特徴とする請求項１に記載の版胴落版転用処理装置。
【請求項３】
前記版胴抽出手段は、抽出された版胴が必要な版胴数より多い場合に、前記使用数が最大のものを抽出することを特徴とする請求項１または請求項２に記載の版胴落版転用処理装置。
【請求項４】
前記版胴抽出手段は、抽出された版胴が必要な版胴数より多い場合に、前記使用日が古いものを抽出することを特徴とする請求項３に記載の版胴落版転用処理装置。
【発明の詳細な説明】
【０００１】
【産業上の利用分野】
本発明は、グラビア印刷において、版胴を共有（落版転用）するにあたり、共有すべき版胴を自動的に抽出する落版転用処理装置に関する。
【０００２】
【従来の技術】
グラビア印刷においては、版胴の購入費および維持費を抑えるため、また、限られたスペースに保管するため、異なる印刷品目においても版胴を共有することが重要となっている。実際には、版胴を共有するためには、刷版済みの絵柄を落とし（「落版」という）、それを転用することになるので、このように異なる印刷品目で版胴を共有することを落版転用と呼ぶ。従来、この落版転用作業は、刷版作業者が印刷作業予定から、版胴円周や版胴幅等の情報を確認して落版転用する版胴を人手により抽出することにより行われている。
【０００３】
【発明が解決しようとする課題】
しかしながら、上記従来の手法では、印刷作業予定を加味して抽出を行ってはいるが、作業者が自分の判断で落版転用する版胴を選択するため、その精度に限界がある。例えば、直近印刷作業用の版胴を転用してしまったり、刷版作業の難易度が高いものを転用してしまったりすることが多かった。このため、余分な転用作業を行うことが多くなり、そのため、版胴落版転用にかかる費用の増大、刷版作業時間の増加が大きな問題となっていた。
上記の点を鑑み、本発明は印刷作業予定や転用の困難さを考慮し、無駄な転用作業が生じないように版胴の転用を行うことが可能な版胴落版転用処理装置を提供することを課題とする。
【０００４】
【課題を解決するための手段】
上記課題を解決するため、請求項１に記載の版胴落版転用処理装置は、印刷作業ごとの印刷作業番号と印刷物１つに対して定める柄構成を特定する柄構成番号と作業予定日時を記録した印刷作業予定データと、印刷物１つに対して必要な各版の版胴柄を特定する版胴柄番号と、前記柄構成番号に対応する円周、版幅、版胴柄番号を記録した柄構成データと、版胴ごとの版胴番号、版胴柄番号、円周、版幅、最終使用日、使用数、使用区分の「可」又は「不可」、転用区分の「可」又は「不可」を記録した版胴データを用いて、版胴を落版転用するにあたり共有すべき版胴を抽出する装置であって、前記印刷作業予定データを参照して印刷作業番号に対応する柄構成番号を特定し、当該柄構成番号により前記柄構成データを参照して版胴柄番号を特定し、当該版胴柄番号が前記版胴データに存在するか否かにより、印刷作業に必要な版胴が全て揃っているか否かを示す版胴の揃い状況を算出する版胴揃い状況算出手段と、版胴揃い状況の算出の結果不揃いであった版胴の代わりとして、版胴データより版胴の使用区分、転用区分が共に「可」である版胴の内、版胴の円周、版幅が必要な版胴と一致するものを抽出する版胴抽出手段を有することを特徴とする。請求項１に記載の発明では、特に、印刷作業予定データと、柄構成データと、版胴データに基づいて版胴揃い状況を算出し、不足している版胴に条件が近い版胴を抽出することにより版胴の落版転用を行うので、印刷作業予定を考慮した無駄のない落版転用が可能になる。
【０００５】
請求項２に記載の版胴落版転用処理装置は、請求項１に記載の版胴落版転用処理装置が、抽出された版胴をどの印刷作業に転用するかを示す刷版作業予定データを作成すると共に、前記抽出された版胴が他の印刷作業に転用されないように前記版胴データの転用区分を“不可”に更新するデータ更新手段をさらに有することを特徴とする。
【０００６】
請求項３に記載の版胴落版転用処理装置は、請求項１または請求項２に記載の発明における版胴抽出手段が、抽出された版胴が必要な版胴数より多い場合に、前記使用数が最大のものを抽出することを特徴とする。請求項３に記載の発明では、特に、版胴が必要数より多く抽出された場合には、使用数に基づいて絞るようにしたので、最適な版胴を必要数だけ抽出することが可能になる。
【０００７】
請求項４に記載の発明では、請求項３に記載の発明における版胴抽出手段が、抽出された版胴が必要な版胴数より多い場合に、前記使用日が古いものを抽出することを特徴とする。請求項４に記載の発明では、特に版胴が必要数より多く抽出された場合には、使用日に基づいて絞るようにしたので、最適な版胴を必要数だけ抽出することが可能になる。
【０００８】
【発明の実施の形態】
以下、本発明の実施形態について図面を参照して詳細に説明する。
図１は、本発明による版胴落版転用処理装置の一実施形態を示すブロック図である。本発明の版胴落版転用処理装置は、図１に示すように入力手段１、演算処理手段２、表示手段３、記憶手段４により構成される。入力手段１は、処理に必要な情報の入力、処理実行の指示等を行う機能を有し、現実にはキーボード、マウス等により実現される。演算処理手段２は、版胴落版転用処理装置の中心的な役割を果たすものであり、版胴揃い状況算出手段５、版胴抽出手段６、データ更新手段７を有する。演算処理手段２は、現実にはパーソナルコンピュータ、ワークステーション等により実現され、版胴揃い状況算出手段５、版胴抽出手段６、データ更新手段７はパーソナルコンピュータ、ワークステーション等に専用のプログラムを搭載することにより実現される。表示手段３は、種々の情報を表示可能なものであり、ＣＲＴディスプレイ等で実現される。記憶手段４は、処理に必要な情報および処理過程で生じた情報等の種々の情報を記憶するものであり、ハードディスク等の外部記憶装置により実現される。この記憶手段４は、印刷作業予定組端末、印刷機の制御手段とネットワークを介して共用されていることが望ましい。
【０００９】
本装置による処理開始時点では、記憶手段４には、少なくとも版胴データ、柄構成データ、印刷作業予定データが記憶されている。これらのデータは、入力手段１からオペレータにより入力されるか、または、ネットワークを介して他のシステム（例えば、印刷作業予定組端末等）から供給される。図２は、版胴データを示す図である。版胴データの各項目について図２の左側から順に説明する。版胴番号は、版胴識別のために付されるものであり全版胴で一意な番号である。版胴柄番号は、その版胴に刷版されている絵柄を識別する番号である。刷り順は版胴番号「Ｃ０００１」の版胴が「１」であり、版胴番号「Ｃ０００２」の版胴が「２」であるため、版胴番号「Ｃ０００１」の版胴が先に刷られるものであることがわかる。円周、版幅は、それぞれ版胴の円周、幅を［ｍｍ（ミリメートル）］単位で示している。使用区分は、版胴が使用可か使用不可かを示すものである。「可」になっている版胴のみ印刷作業に使用可となる。転用区分は、版胴が落版転用可能かどうかを示すものである。刷版作業が難しいものについては、通常「不可」に設定されており、転用されないようになっている。
【００１０】
図３は、柄構成データを示す図である。柄構成データの各項目について図３の左側から順に説明する。柄構成番号は、版胴が構成する絵柄毎に一意な番号である。刷り順は同一の柄構成をもつものにおける印刷の刷り順を示す。円周、幅、版胴柄番号は、図２に示す版胴データにおける円周、版幅、版胴柄番号と同一のものである。柄構成番号と版胴柄番号の関係については、図１３に示す。図１３に示すように例えば、１つの印刷を４つの版胴で行う場合に、この４つの版胴ごとの柄に対して定めた番号を版胴柄番号といい、この場合４つある。しかし最終的に印刷される柄は１つであるので、印刷物１つに対して定める柄の番号を柄構成番号という。
【００１１】
図４は、印刷作業予定データを示す図である。この印刷作業予定データは印刷作業予定組端末により作成されたデータである。印刷作業の予定を立案する印刷作業予定組端末は周知であるので説明は省略する。印刷作業予定データの各項目について図４の左側から順に説明する。印刷作業番号は、印刷作業を特定するために付されるものであり印刷作業ごとに一意な番号である。用紙投入数は、その印刷作業で必要とする用紙数量であり、［ｍ（メートル）］単位で示している。柄構成番号は、図３の柄構成データが有するものと同一であり、ここでは、印刷作業番号に対応付けられている。作業開始予定日時、作業終了予定日時は、それぞれ、その印刷作業の開始予定日時、終了予定日時を示している。
【００１２】
次に、図５のフローチャートを用いて、本装置の処理動作について説明する。まず、入力手段１より演算処理手段２に対して処理開始の指示を行うと、Ｓｔｅｐ１において、版胴揃い状況算出手段５が、印刷作業予定データ、柄構成データ、版胴データから印刷作業番号毎の版胴の揃い状況を算出する。Ｓｔｅｐ１では、まず、図４に示す印刷作業予定データの柄構成番号をキーに、図３に示す柄構成データの構成情報を求める。柄構成データの構成情報より、柄を構成する各版胴柄番号が抽出できるので、その版胴柄番号をキーとして、図２に示す版胴データより、該当する版胴柄番号を持ち、使用区分、転用区分が共に「可」である版胴の有無を確認する。
【００１３】
例えば、図４の印刷作業予定データにおける印刷作業番号「Ｐ０００２」について、版胴揃い状況を算出する場合を図６を用いて説明する。印刷作業番号「Ｐ０００２」より、柄構成番号「Ｇ００２」が抽出される（図６左側の表）。図３の柄構成データより、柄構成番号「Ｇ００２」を構成する版胴柄番号は、「Ｂ１」「Ｂ２」であることがわかる（図６右上の表）。この版胴柄番号「Ｂ１」「Ｂ２」により、図２の版胴データを検索すると、版胴柄番号「Ｂ１」については、版胴番号「Ｃ０００３」が抽出される（図６右下の表）。しかし、版胴柄番号「Ｂ２」については、該当する版胴がないので、印刷作業番号「Ｐ０００２」の版胴揃い状況は未揃いであることが分かる。同時に、柄構成番号「Ｇ００２」、刷順「２」、円周「７５０」、版胴柄番号「Ｂ２」の版胴が不足しているという版胴不足情報が得られる。
【００１４】
Ｓｔｅｐ２では、Ｓｔｅｐ１の処理において算出された版胴の揃い状況を表示手段３に表示する。図４に示す印刷作業予定データにおける印刷作業番号「Ｐ０００１」〜「Ｐ０００５」に対して同様にＳｔｅｐ１の処理を行うと、図７に示すような結果が得られ、画面に表示される。この時点で、「Ｐ０００１」〜「Ｐ０００５」に必要な版胴番号「Ｃ０００１」〜「Ｃ０００７」は版胴データにおける転用区分が不可と変更され、他に転用できないよう確保される。
【００１５】
次のＳｔｅｐ３〜Ｓｔｅｐ１２の処理は、版胴抽出手段６により行われる。図７に示す版胴揃い状況確認画面において落版転用処理を指示すると、Ｓｔｅｐ３の処理を開始する。Ｓｔｅｐ３では、版胴が不揃いの印刷作業番号に対し、転用する版胴の抽出処理（落版転用処理）を行う。これは、版胴データより版胴の使用区分、転用区分が共に「可」である版胴の内、版胴の円周、版幅が必要な版胴と一致するものを抽出することにより行う。続いて、Ｓｔｅｐ４では、版胴が抽出できたかどうかのチェックを行う。版胴が抽出できなかった場合は、Ｓｔｅｐ５において、版胴の抽出条件の限界に達したかどうかをチェックする。抽出条件が限界に達していない場合、Ｓｔｅｐ６において、抽出条件範囲を拡大して、版胴の抽出を行う。すなわち、Ｓｔｅｐ３において、円周、版幅が同一の版胴が抽出できない場合は、Ｓｔｅｐ４〜Ｓｔｅｐ６のループにおいて、円周範囲を±１ｍｍずつ拡大して、該当する版胴を抽出することになる。Ｓｔｅｐ５における抽出条件は、入力手段１を用いてオペレータが予め設定しておくものであり、この例では、円周の±何ｍｍをリミットとするかを設定しておくことになる。
【００１６】
例えば、印刷作業番号「Ｐ０００２」で揃わなかった版胴柄番号「Ｂ２」についての版胴抽出処理を図８を用いて説明する。Ｓｔｅｐ１より版胴不足情報が得られる（図８左側の表）ので、この不足版胴情報に近い版胴を抽出することになる。版胴データからは、使用区分、転用区分が共に「可」である「Ｃ０００８」〜「Ｃ００１２」が抽出される（図８右側上から１番目の表）。次に、版胴不足情報にあるように円周「７４５」、幅「１１００」で、版胴柄番号「Ｂ２」が要求する条件と同一である版胴「Ｃ００１１」「Ｃ００１２」の２つが候補として抽出される（図８右側上から２番目の表）。この場合、Ｓｔｅｐ３で抽出条件が同一である版胴が見つかるのでＳｔｅｐ４からＳｔｅｐ７に進むことになる。
【００１７】
Ｓｔｅｐ７では、版胴が複数本抽出されたかどうかのチェックを行う。版胴が複数本抽出された場合は、Ｓｔｅｐ８において、版胴データの使用数を比較し、使用数が最大の版胴を選択する。Ｓｔｅｐ９では、Ｓｔｅｐ８における処理後も複数本の版胴が選択されているかどうか、すなわち、使用数が最大のものが複数あったかどうかのチェックを行う。依然として複数本の版胴が抽出されている場合は、Ｓｔｅｐ１０において、版胴データの最終使用日を比較し、最終使用日が最も古い版胴を選択する。
【００１８】
上述の図８の印刷作業番号「Ｐ０００２」の例で説明すると、「Ｃ００１１」「Ｃ００１２」の２本の版胴が抽出されているため、Ｓｔｅｐ７からＳｔｅｐ８へ進む。Ｓｔｅｐ８で使用数を比較すると、「Ｃ００１１」「Ｃ００１２」共に「１５００００ｍ」である（図８右側上から２番目の表）ため、２本の版胴が抽出されたままで、Ｓｔｅｐ９からＳｔｅｐ１０へと進む。Ｓｔｅｐ１０において、２本の版胴「Ｃ００１１」「Ｃ００１２」の最終使用日を比較する（図８右側上から３番目の表）と、最終使用日は版胴「Ｃ００１２」の方が古いため、版胴「Ｃ００１２」が抽出される（図８右側上から４番目の表）ことになる。
【００１９】
Ｓｔｅｐ１１では、さらに、複数本の版胴が抽出されているかどうかをチェックする。この時点でまだ複数本の版胴が抽出された状態になっている場合は、Ｓｔｅｐ１２において、作業者自身が抽出すべき版胴を１本だけ指示する。
【００２０】
Ｓｔｅｐ１３では、データ更新手段７が、Ｓｔｅｐ７、Ｓｔｅｐ９、Ｓｔｅｐ１１、Ｓｔｅｐ１２における判定または処理の結果、１本だけ抽出された版胴について、刷版作業予定データを作成すると共に、版胴データを更新する。図４に示す印刷作業予定データについて、上記Ｓｔｅｐ１〜Ｓｔｅｐ１３の処理を行った結果、得られる刷版作業予定データを図９に示す。刷版作業予定データは、図９に示すように抽出された版胴がどのような柄構成番号、刷順、版胴柄番号、印刷作業番号、使用予定日時であるかを示すものとなっている。このとき、使用予定日時は、印刷作業予定データにおける作業開始予定日時と対応している。
【００２１】
また、図７に示す印刷作業予定データについて、上記Ｓｔｅｐ１〜Ｓｔｅｐ１３の処理を行った結果、更新された状態の版胴データを図１０に示す。例えば、図９に示すように刷版作業予定データに版胴「Ｃ００１２」が登録された場合は、図１０に示すように版胴データにおける版胴「Ｃ００１２」の転用区分が「不可」に更新される。
【００２２】
Ｓｔｅｐ１４では、Ｓｔｅｐ２において、必要な版胴が揃っていないとされた全ての印刷作業番号に対して落版転用処理が終了したかどうかを確認する。Ｓｔｅｐ１４において、全ての処理が終了したと判断された場合は、Ｓｔｅｐ１５において、落版転用処理結果が表示手段３に表示される。表示される落版転用処理結果を図１１に示す。Ｓｔｅｐ１４において、全ての処理が終了していないと判断された場合は、Ｓｔｅｐ１６において、版胴の抽出対象を未処理の印刷作業番号に変更した後、Ｓｔｅｐ３に戻り、処理を行う。
【００２３】
以上のようにして、落版転用処理が行われるが、上記Ｓｔｅｐ５において抽出条件にあてはまる版胴が抽出できなかった場合は、Ｓｔｅｐ１７において、落版転用処理エラーデータを作成した後、それを落版転用エラー結果として表示手段３に表示する（Ｓｔｅｐ１８）。表示される落版転用エラー結果を図１２に示す。
【００２４】
上記の処理により得られる刷版作業予定データ、更新された版胴データは記憶手段４に記憶され、これらのデータを利用して以後の版胴刷版作業が行われる。
【００２５】
以上、本発明の好適な実施形態について説明したが、本発明は上記実施形態に限定されるものではない。例えば、上記実施形態では、版胴揃い状況算出手段５により版胴揃い状況を算出した後、これを表示手段３に表示し、オペレータが実行指示を行うようにしたが、版胴揃い状況算出手段５の結果に基づいて自動的に版胴抽出手段６の処理に移行するようにしても良い。このためには、版胴揃い状況算出手段５の処理により得られる不足版胴情報が、そのまま版胴抽出手段６に渡されるようにしておけば良い。
【００２６】
【発明の効果】
以上、説明したように本発明によれば、印刷作業予定データと、柄構成データと、版胴データに基づいて版胴揃い状況を算出し、不足している版胴に条件が近い版胴を抽出することにより版胴の落版転用を行うので、印刷作業予定を考慮した無駄のない落版転用が可能になる。
また、版胴揃い状況の算出を、印刷作業予定データにおける柄構成を基に、柄構成データから版胴柄を特定し、特定された版胴柄を基に、版胴データ上で必要な版胴があるかどうかの確認を行うようにしたので、用意されている印刷作業予定データを用いて容易に版胴の揃い状況を確認することが可能になる。
さらに、版胴の抽出を版胴の円周、幅に関する抽出条件を定め、それに従って抽出するようにし、必要数より多く抽出された場合には、使用数、使用日等に基づいて絞るようにしたので、最適な版胴を必要数だけ抽出することが可能になる。
これに加えて、版胴抽出手段による抽出条件における円周値に所定の範囲を持たせた場合は、円周値が同一の版胴が見つからなくても、近い版胴を抽出することが可能になる。
【図面の簡単な説明】
【図１】本発明の版胴落版転用処理装置の一実施形態を示すブロック図である。
【図２】本発明で使用される版胴データを示す図である。
【図３】本発明で使用される柄構成データを示す図である。
【図４】本発明で使用される印刷作業予定データを示す図である。
【図５】版胴落版転用処理装置の処理動作を示すフローチャートである。
【図６】版胴揃い状況算出処理を説明するための図である。
【図７】版胴揃い状況確認画面を示す図である。
【図８】版胴抽出処理を説明するための図である。
【図９】版胴落版転用処理装置で作成される刷版作業予定データを示す図である。
【図１０】版胴落版転用処理装置で更新された版胴データを示す図である。
【図１１】版胴落版転用処理装置による落版転用処理結果を示す図である。
【図１２】版胴落版転用処理装置による落版転用エラー結果を示す図である。
【図１３】本発明で使用される柄構成番号と版胴柄番号の関係を示す図である。
【符号の説明】
１・・・入力手段
２・・・演算処理手段
３・・・表示手段
４・・・記憶手段
５・・・版胴揃い状況算出手段
６・・・版胴抽出手段
７・・・データ更新手段
【図１】
0004498492.tif 000002
【図２】
0004498492.tif 000003
【図３】
0004498492.tif 000004
【図４】
0004498492.tif 000005
【図５】
0004498492.tif 000006
【図６】
0004498492.tif 000007
【図７】
0004498492.tif 000008
【図８】
0004498492.tif 000009
【図９】
0004498492.tif 000010
【図１０】
0004498492.tif 000011
【図１１】
0004498492.tif 000012
【図１２】
0004498492.tif 000013
【図１３】
0004498492.tif 000014